(57)【要約】【課題】送風ガイドに万が一にも侵入する泡を、１つのセンサで確度よく検出できて部品点数、組立工数が少なくコストの低減が図れるようにする。【解決手段】回転ドラム２を後部側に向け水平または下向き傾斜となるように収容した水槽３と、送風ファン１５により水槽３内の空気を吸引して後除および加熱し乾燥した高温空気として水槽３内に送風する循環送風経路５と備え、循環送風経路５における送風路３３の水槽３後部への接続部を送風ガイド３３ａとし、この送風ガイド３３ａに風路の断面を部分的に狭めた狭隘部３３ａ１１を設け、この狭隘部３３ａ１１に泡を検出する泡センサ１１１を１つ設けたことにより、目的を達成する。【選択図】図５
2010094170.tif 000002
【特許請求の範囲】
【請求項１】
回転ドラムを後部側に向けて回転軸方向が水平または水平方向から下向き傾斜となるようにして水槽内に設置して、回転ドラムの回転を伴い、洗濯、すすぎ、脱水の各工程を実施するのに併せ、送風ファンにより水槽内の空気を吸引した後除湿用熱交換器及び加熱用熱交換器に通して乾燥した高温空気として水槽内に送風する循環送風経路を備えて洗濯物を乾燥させる乾燥工程を実施し、前記循環送風経路における送風路の水槽後部への接続部は、送風する循環空気を水槽との接続口にスムーズに導き回転ドラムの中央部に向かわせやすくする送風ガイドとし、この送風ガイドに水槽側から侵入することのある泡を検出する泡センサを設けたドラム式洗濯乾燥機において、
前記送風ガイドに、その風路の断面を部分的に狭めた狭隘部を設け、この狭隘部に泡を検出する前記泡センサを１つ設けたことを特徴とするドラム式洗濯乾燥機。
【請求項２】
前記狭隘部は、前記送風ガイドの上流側および下流側の双方から緩やかに狭めて形成している請求項１に記載のドラム式洗濯乾燥機。
【請求項３】
前記狭隘部は、前記送風ガイドの送風を導入する導入部がその下流で送風の向きを変えるように案内するガイド部へ繋がる部分に、前記導入部の送風路への接続口での風路断面未満に狭まるようにしたアンダーカット部にて形成されている請求項１、２のいずれか１項に記載のドラム式洗濯乾燥機。
【請求項４】
前記送風ガイドは、前記接続口が一端に開放するように前記導入部を前記ガイド部の後部壁に一体成形した深い容器型をした後部側の半殻体と、この後部側の半殻体の前部側の開放縁に後部側開放縁が合わさって前記ガイド部を形成する浅い蓋型をした前部側の半殻体とを一体化して形成され、後部側の半殻体は、前記導入部に対しその接続口側から抜き差しできる第１の型によって形成される第１の形成域と、この第１の形成域に隣接して前記後部側の半殻体の開放部の前記導入部一体形成側から挿入位置での第１の型側に寄せまた離す動作を伴う鉤形経路で抜き差しできる第２の型によって成形される第２の成形域と、この第２の成形域に隣接して前記開放部の残りの部分から前記第２の型との摺接を伴い抜き差しできる第３の型によって形成される第３の成形域とを有して内面が形成されている請求項３に記載のドラム式洗濯乾燥機。
【請求項５】
前記送風ガイドは、前記水槽の後部中央に設けられる回転ドラムを駆動するモータの側部にまで上方から立ち下がる送風路に前記導入部が上向きで繋がり、この導入部に導入した送風空気は前記モータまわりで前記ガイド部にてほぼ直角に曲げて排気口まで案内するようにし、排気口は前記下流端側増厚部の前部壁のモータ側に寄って設けた請求項１に記載のドラム式洗濯乾燥機。
【発明の詳細な説明】
【技術分野】
【０００１】
本発明は、ドラム式洗濯乾燥機、詳しくは、回転ドラムを回転軸方向が水平または後部に向け水平方向から下向き傾斜となるようにして水槽内に設置し、洗濯、すすぎ、脱水の各工程に加え、送風ファンにより水槽内の空気を吸引して除湿用熱交換器及び加熱用熱交換器に通し除湿及び加熱した後水槽内に送風することを繰り返す送風循環経路を有して洗濯物を乾燥させる乾燥工程を行うドラム式洗濯乾燥機に関するものである。
【背景技術】
【０００２】
このようなドラム式洗濯乾燥機において、洗剤の過剰などが原因して水槽内で嵩の高い泡が多量に発生することがあり、図６に示す送風循環経路ａの水槽ｂへの送風口ｃから送風循環経路ａ側に逆流して侵入することがある。このように侵入する泡が送風循環経路ａを通じその上流にある加熱用熱交換器としてのヒータｄや図示しない送風ファンのファンモータに及ぶと、それら電気部品に付着し、腐食あるいは電気ショートの状態を招きかねない。
【０００３】
このような事態に対応するのに、送風循環経路ａの水槽ｂへの送風口ｃからその上流側所定域の間で、侵入してくる泡を電極対間で検出するセンサを設け、泡を検出したとき運転動作を変更することが既に知られている（例えば、特許文献１参照。）。
【０００４】
この特許文献１に記載の技術は、特に、送風口ｃないしは送風口ｃに近い第１のセンサｓ１と、この第１のセンサｓ１の上流側に位置する第２のセンサｓ２とを設けている。これに伴い、第１のセンサｓ１の両極間の抵抗値が第１の所定値未満で泡の存在を検出したときは、泡異常として、給水動作の停止に併せ、攪拌時限を変更したり、モータｅにより駆動する回転ドラムｆの回転数を下げるなどの攪拌動作を弱くする消泡シーケンスを実行し、その後、両極間の抵抗値を測定して第１の抵抗値以上であれば泡の消去が完了したとして消泡シーケンスから通常シーケンスの洗濯動作に戻すようにしている。また、再度の抵抗値測定にて第１の所定値未満であれば、第２のセンサｓ２の両極間の抵抗値を測定し、第１の所定値よりも高い第２の所定値以上であれば前記消泡シーケンスを実行するが、第２の所定値未満であれば大量に泡が存在すると判断して、水なし攪拌を実行して泡を消去するようにしている。
【特許文献１】特開２００６−１３６６０１号公報
【発明の開示】
【発明が解決しようとする課題】
【０００５】
しかし、特許文献１に記載のものは、送風口ｃから送風循環経路ａに逆流し、侵入する泡に対して、泡の侵入方向前後に位置する２つのセンサｓ１、ｓ２を用いて検出し、しかも、それらの泡の侵入状況に応じた多種類の検出状況に応じ個別のシーケンスを実行して対応するので、泡の検出構造、泡の検出状態、泡の検出状態に応じた制御が、共に複雑で、コスト上昇の原因になっている。
【０００６】
本発明の目的は、送風ガイドに万が一にも侵入する泡を、１つのセンサで確度よく検出して単純に対応でき、部品点数、組立工数が少なく、コストの低減が図れるドラム式洗濯乾燥機を提供することにある。
【課題を解決するための手段】
【０００７】
上記目的を達成するための本発明のドラム式洗濯乾燥機は、回転ドラムを後部側に向けて回転軸方向が水平または水平方向から下向き傾斜となるようにして水槽内に設置して、
回転ドラムの回転を伴い、洗濯、すすぎ、脱水の各工程を実施するのに併せ、送風ファンにより水槽内の空気を吸引した後除湿用熱交換器及び加熱用熱交換器に通して乾燥した高温空気として水槽内に送風する循環送風経路を備えて洗濯物を乾燥させる乾燥工程を実施し、前記循環送風経路における送風路の水槽後部への接続部は、送風する循環空気を水槽との接続口にスムーズに導き回転ドラムの中央部に向かわせやすくする送風ガイドとし、この送風ガイドに水槽側から侵入することのある泡を検出する泡センサを設けたドラム式洗濯乾燥機において、前記送風ガイドに、その風路の断面を部分的に狭めた狭隘部を設け、この狭隘部に泡を検出する前記泡センサを１つ設けたことを特徴としている。
【０００８】
このような構成では、有底円筒形の回転ドラムを回転軸方向が水平または水平方向から後部側に下向き傾斜となるように収容、設置して洗濯、すすぎ工程を行う水槽と、送風ファンにより水槽内の空気を吸引した後除湿用熱交換器及び加熱用熱交換器に通して乾燥した高温空気として水槽内に送風することを繰り返して洗濯物を乾燥させる循環送風経路とを併置して、前記循環送風経路における送風路の水槽後部への接続部を、送風する循環空気を水槽との接続口にスムーズに導き回転ドラムの中央部に向かわせやすくする送風ガイドとして、水槽側から侵入することのある泡を検出する泡センサを１つ設けるだけであるが、その設置位置が送風ガイドの風路の断面を部分的に狭めた狭隘部であることにより、侵入することのある泡が狭隘部を通過することで、泡の送風路側への逆流挙動の安定、存在位置の特定、その存在位置での高密度化を図って、そこに位置する泡センサとの効果的で確実な接触を図って泡検出精度を高められる。
【０００９】
上記において、さらに、前記狭隘部は、前記送風ガイドの上流側および下流側の双方から緩やかに狭めて形成していることを特徴とすることができる。
【００１０】
このような構成では、上記に加え、さらに、送風路から送風ガイドに導入した送風が、送風ガイド内の狭隘部をその上流側から下流側に通過するのに、狭隘部の上流側および下流側の双方から緩やかに狭まる通路で徐々に絞られた後徐々に膨張されるので、狭隘部の通過途中一旦流速が増大することがあっても、流れが淀んだり乱れたりしないし、通風抵抗も特に高くなることはない。
【００１１】
上記において、さらに、前記狭隘部は、前記送風ガイドの送風を導入する導入部がその下流で送風の向きを変えるように案内するガイド部へ繋がる部分に、前記導入部の送風路への接続口での風路断面未満に狭まるようにしたアンダーカット部にて形成されていることを特徴とすることができる。
【００１２】
このような構成では、上記に加え、さらに、送風路に接続される接続口を持った導入部は円筒形が通常形態となるのを、一面側ないしは複数面側で風路を狭める側に扁平化するアンダーカット部を設けることで、通常形態の導入部にその通風抵抗を特に高めることのない狭隘部を簡単に形成することができる。
【００１３】
上記において、さらに、前記送風ガイドは、前記接続口が一端に開放するように前記導入部を前記ガイド部の後部壁に一体成形した深い容器型をした後部側の半殻体と、この後部側の半殻体の前部側の開放縁に後部側開放縁が合わさって前記ガイド部を形成する浅い蓋型をした前部側の半殻体とを一体化して形成され、後部側の半殻体は、前記導入部に対しその接続口側から抜き差しできる第１の型によって形成される第１の形成域と、この第１の形成域に隣接して前記後部側の半殻体の開放部の前記導入部一体形成側から挿入位置での第１の型側に寄せまた離す動作を伴う鉤形経路で抜き差しできる第２の型によって成形される第２の成形域と、この第２の成形域に隣接して前記開放部の残りの部分から前記第２の型との摺接を伴い抜き差しできる第３の型によって形成される第３の成形域とを有して内面が形成されていることを特徴とすることができる。
【００１４】
このような構成では、上記に加え、さらに、中空の送風ガイドを後部側の半殻体と前部側の半殻体とに２分して形成するのに、後部側の半殻体に導入部を筒状に一体形成した深い容器型とし、前部側の半殻体は後部側の半殻体のガイド部における前部側の開放縁に自身の後部側の開放縁を合わせて一体化する浅い蓋型の半殻体とすることで、前部側の半殻体の型成形を容易にしながら、深い容器型で筒状の導入部をも持って、水槽内への送風に有利な立体形状となる後部側の半殻体は、前記導入部に対しその接続口側から抜き差しできる第１の型によって形成される第１の形成域と、この第１の形成域に隣接して前記後部側の半殻体の開放部の前記導入部一体形成側から挿入位置での第１の型側に寄せまた離す動作を伴う鉤形経路で抜き差しできる第２の型によって成形される第２の成形域と、この第２の成形域に隣接して前記開放部の残りの部分から前記第２の型との摺接を伴い抜き差しできる第３の型によって形成される第３の成形域とを有して内面が形成されていることで、簡単な型組み、型抜き構造で金型にて成形性よく形成することができる。
【００１５】
上記において、さらに、前記送風ガイドは、前記水槽の後部中央に設けられる回転ドラムを駆動するモータの側部に上方から立ち下がる送風路に前記導入部が上向きで繋がり、この導入部に導入した送風空気は前記モータまわりで前記ガイド部にてほぼ直角に曲げて排気口まで案内するようにし、排気口は前記下流端側増厚部の前部壁のモータ側に寄って設けたことを特徴とすることができる。
【００１６】
このような構成では、上記に加え、さらに、送風ガイドは、水槽の後部中央に設けられる回転ドラムを駆動するモータの側部にまで上方から立ち下がる送風路に導入部が繋がって送風空気を順方向に導入した後、導入部からの送風空気を導入部下流のガイド部がモータまわりでほぼ直角に曲げて下流端前部壁の排気口まで案内し、水槽内へ回転ドラムの中央に向け送風することができるが、送風ガイド内に水槽内から泡が逆流してくることがあってもそれに繋がる送風路は上流側に向け立ち上がる形態であることにより、泡は送風ガイドに充満するまで送風路側に逆流するのを遅らせられるので、その前に送風ガイド内で泡をより確実に検出することができる。
【発明の効果】
【００１７】
本発明のドラム式洗濯乾燥機によれば、有底円筒形の回転ドラムを回転軸方向が水平または水平方向から後部側に下向き傾斜となるように収容した水槽に、この水槽内の空気を吸引した後除湿および加熱して乾燥した高温空気として水槽内に送風する循環送風経路を併置して乾燥工程を行い、循環送風経路における送風路の水槽後部への接続部を送風ガイドとして、水槽内への送風を回転ドラムの中央部に向かわせやすくするのに、水槽側から侵入することのある泡を検出する泡センサを送風ガイドの風路の断面を部分的に狭めた狭隘部に１つ設けるだけの部品点数、組立工数が少なくコストの低減が図れる簡単な構造で、狭隘部を通過する泡の逆流挙動の安定、存在位置の特定、その存在位置での高密度化により、効果的で確実な接触を図って、泡検出精度を高められ、１回の泡検出に基づく１回の泡対応制御で足りる点でもコストの低減が図れる。
【００１８】
上記に加え、さらに、送風路から送風ガイドに導入した送風が、狭隘部を上流側から下流側に通過するのに、狭隘部の上流側および下流側の双方から緩やかに狭まる通路で徐々に絞られた後徐々に膨張されて通過途中一旦流速が増大する程度で、流れが淀んだり乱れたりしないし、通風抵抗も特に高くなることはなく、高風量化、高静圧化による乾燥機能のさらなる高性能化を特に妨げることはない。
【００１９】
上記に加え、さらに、円筒形が通常形態となる導入部にその一面側ないしは複数面側で風路を狭める側に扁平化するアンダーカット部を設けるだけで、通常形態の導入部にその通風抵抗を特に高めることのない狭隘部を簡単に形成することができ、コスト上昇に原因
にはならない。
【００２０】
上記に加え、さらに、送風ガイドを２分するのに、後部側の半殻体に導入部を筒状に一体形成した深い容器型とし、前部側の半殻体は浅い蓋型の半殻体とすることでその型成形を容易にしながら、後部側の半殻体は筒状の導入部をも持って、水槽内への送風に有利な立体形状であっても、導入部を含めた内面が簡単な型組み、型抜き構造となる第１〜第３の型よって第１〜第３の成形域を簡単に分担成形されるので、金型費、製品コスト共、特に上昇することはない。
【００２１】
上記に加え、さらに、送風ガイドは、モータの側部にまで上方から立ち下がる送風路に導入部が繋がって送風空気を順方向に導入した後、導入部からの送風空気を下流のガイド部がモータまわりでほぼ直角に曲げて下流端前部壁の排気口まで案内し、水槽内へ回転ドラムの中央に向け送風するので、送風ガイド内に水槽内から泡が逆流してくることがあってもそれに繋がる送風路は上流側に向け立ち上がる形態であることにより、泡は送風ガイドに充満するまで送風路側に逆流するのを遅らせられ、その前に送風ガイド内で泡をより確実に検出することができる。
【発明を実施するための最良の形態】
【００２２】
本発明の実施の形態に係るドラム式洗濯機につき、図を参照しながら以下に説明し本発明の理解に供する。以下の説明は本発明の具体例であって、特許請求の範囲の内容を限定するものではない。
【００２３】
図５にその概略を示す本実施の形態のドラム式洗濯乾燥機１は、回転ドラム２を後部側に向けて回転軸２ａの方向が水平または水平方向から下向き傾斜となるようにして水槽３内に設置して、回転ドラム２の回転を伴い、洗濯、すすぎ、脱水の各工程を実施するのに併せ、送風ファン１５により水槽３内の空気を吸引した後除湿用熱交換器３１及び加熱用熱交換器３２に通して乾燥した高温空気として水槽３内に送風する循環送風経路５を備えて洗濯物を乾燥させる乾燥工程を実施する。
【００２４】
回転ドラム２の水平配置ないしは図示する傾斜に対応して、水槽３の正面側には回転ドラム２の開口端に通じる衣類出入口が形成され、洗濯乾燥機本体４４の正面側に形成された上向き傾斜面に設けられた開口部を開閉可能に閉じる扉を開くことにより、回転ドラム２内に対して洗濯物を出し入れすることができる。扉が上向き傾斜面に設けられているため、洗濯物を出し入れする作業を、腰を屈めることなく実施できる。
【００２５】
回転ドラム２には、その周面に水槽３内に通じる多数の透孔が形成され、内周面の周方向複数位置に攪拌突起（図示せず）が設けられている。この回転ドラム２は水槽３の後部側に取り付けられたモータ７によって正転及び逆転方向に回転駆動される。また、水槽３には、注水管路及び排水管路が配管接続され、注水弁及び排水弁の制御によって水槽３内への注水及び排水がなされる。扉を開いて回転ドラム２内に洗濯物及び洗剤を投入してドラム式洗濯乾燥機１の例えば前面上部などに設けられた操作パネル１０１での操作で、その内側などに設けられた制御基板１０２などによる制御を通じて運転を開始させると、水槽３内には注水管路から所定量の注水がなされ、モータ７により回転ドラム２が回転駆動されて洗濯工程が開始される。回転ドラム２の回転により、回転ドラム２内に収容された洗濯物は回転ドラム２の内周壁に設けられた攪拌突起によって回転方向に持ち上げられ、持ち上げられた適当な高さ位置から落下する攪拌動作が繰り返されるので、洗濯物には叩き洗いの作用が及んで洗濯がなされる。所要の洗濯時間の後、汚れた洗濯液は排水管路から排出され、回転ドラム２を高速回転させる脱水動作により洗濯物に含まれた洗濯液を脱水し、その後、水槽３内に注水管路から注水してすすぎ工程が実施される。
【００２６】
さらに、送風ファン１５は、乾燥工程実施時に除湿用熱交換器３１、加熱用熱交換器３２と共に働かされて、循環送風経路５の吸引路１６を通じ水槽３内に作用するので、水槽３内の空気を吸引して循環送風経路５の送風路３３を通じ水槽３内に送風するのに、途中、除湿用熱交換器３１および加熱用熱交換器３２を通して除湿および加熱し、除湿および加熱後の乾燥した高温空気を水槽３内に戻すことにより回転ドラム２内の洗濯物を乾燥させることを繰り返す。
【００２７】
一方、循環送風経路５における送風路３３の水槽３後部への接続部は、送風する循環空気を水槽３との接続口に圧損なくスムーズに導き洗濯物との接触効率を高められる回転ドラム２の中央部に向かわせる図１〜図４に例示するような送風ガイド３３ａとして乾燥効率を高められるようにしている。
【００２８】
ところで、既述したように、洗剤の過剰などが原因して水槽３内で嵩の高い泡が多量に発生して送風循環経路５の水槽３への送風口１０８から送風循環経路５側に逆流して侵入し、それが加熱用熱交換器３２としてのヒータや送風ファン１５のファンモータ１５ａに及んで、それら電気部品に付着し、腐食あるいは電気ショートの状態を招きかねないことにつき、本実施の形態でも、前記送風ガイド３３ａに水槽３側から侵入することのある泡を検出する泡センサを設ける。
【００２９】
しかし、特許文献１に記載のものは、泡センサによる泡の検出構造、泡の検出状態、泡の検出状態に応じた制御が、共に複雑で、コスト上昇の原因になっているのに対し、本発明は、送風ガイドに万が一にも侵入する泡を、１つのセンサで確度よく検出して単純に対応でき、部品点数、組立工数が少なく、コストの低減が図れるようにすることを目的として、前記送風ガイド３３ａに、その風路の断面を部分的に狭めた狭隘部３３ａ１１を設け、この狭隘部３３ａ１１に泡を検出する泡センサ１１１を１つ設けただけのものとしている。
【００３０】
このように、循環送風経路５の送風ガイド３３ａに泡センサ１１１を１つ設けるだけであるが、その設置位置が送風ガイド３３の風路の断面を部分的に狭めた狭隘部３３ａ１１であることにより、侵入することのある泡が狭隘部３３ａ１１を通過することで、泡の送風路３３側への逆流挙動の安定、存在位置の特定、その存在位置での高密度化を図って、そこに位置する泡センサ１１１との効果的で確実な接触を図って泡検出精度を高められる。この結果、部品点数、組立工数が少なくコストの低減が図れる簡単な構造で、狭隘部３３ａ１１を通過する泡の逆流挙動の安定、存在位置の特定、その存在位置での高密度化により、効果的で確実な接触を図って、泡検出精度を高められ、１回の泡検出に基づく１回の泡対応制御で足りる点でもコストの低減が図れる。
【００３１】
また、狭隘部３３ａ１１は、送風ガイド３３ａの上流側および下流側の双方から緩やかに狭めて形成している。これにより、送風路３３から送風ガイド３３ａに導入した送風が、送風ガイド３３ａ内の狭隘部３３ａ１１をその上流側から下流側に通過するのに、狭隘部３３ａ１１の上流側および下流側の双方から緩やかに狭まる通路で徐々に絞られた後徐々に膨張されるので、狭隘部３３ａ１１の通過途中一旦流速が増大することがあっても、流れが淀んだり乱れたりしないし、通風抵抗も特に高くなることはない。従って、高風量化、高静圧化による乾燥機能のさらなる高性能化を特に妨げることはない。
【００３２】
また、狭隘部３３ａ１１は、送風ガイド３３ａの送風を導入する導入部３３ａ１がその下流で送風の向きをほぼ９０°変えるように案内するガイド部３３ａ２へ繋がる部分に、導入部３３ａ１の送風路３３への接続口３３ａ９での風路断面未満に狭まるようにしたアンダーカット部３３ａ１０にて形成されている。このように、送風路３３に接続される接続口３３ａ９を持った導入部３３ａ１は円筒形が通常形態となるのを、一面側ないしは複
数面側で風路を狭める側に扁平化するアンダーカット３３ａ１０部を設けることで、通常形態の導入部にその通風抵抗を特に高めることのない狭隘部３３ａ１１を簡単に形成することができる。従って、コスト上昇の原因にはならない。
【００３３】
さらに詳述すると、送風ガイド３３ａは、接続口３３ａ９を持たない浅い前部の半殻体３３ａ２１と、接続口３３ａ９を持った深い後部の半殻体３３ａ２２とを合わせねじ止め部２０１にてねじ止めするなどしてなり、半殻体３３ａ２２側に設けた下流に向けカット幅を増大させたアンダーカット部３３ａ１０と半殻体３３ａ２１の下流に向け斜め方向に後部壁側へ傾斜した形態とで所定の狭さの導入部３３ａ１をなして、半殻体３３ａ２１、３３ａ２２によって形成する左右方向に向いたガイド部３３ａ２の上流側端部に上方からほぼ直角に屈曲するように繋がっている。ガイド部３３ａ２は導入部３３ａ１と繋がった上流端部から下流端部に向け後部壁３３ａ４が後部側への傾斜と、前部壁３３ａ５が後部側への傾斜とによる下流に向け後方に向く傾斜路をなしてガイド部３３ａ２途中の最大膨らみ部３３ａ１２に緩やかに繋がり、最大膨らみ部３３ａ１２が前部壁３３ａ５および後部壁３３ａ４の前部側への傾斜による下流に向け前部側に向く傾斜路をなして排気口３３ａ６に緩やかに達して、送風口１０８にその後部側から接続している。また、最大膨らみ部３３ａ１２は、図１に示すように反モータ７側の膨らみよりもモータ７側での膨らみが大きくなるようにしている。これにより、送風路３３から導入部３３ａ１に下向きに導入される循環空気の空気流は、導入部３３ａ１のアンダーカット部３３ａ１０によってガイド部３３ａ２の上流側に形成している傾斜路の前部側にスムーズに導入されて、ガイド部３３ａ２のモータ７側の側壁に沿ってほぼ直角に曲げられながら、傾斜路を通じて最大膨らみ部３３ａ１２を経て傾斜路にて排気口３３ａ６にその後方から向かう緩やかに向きの変わる空気流をなし、圧損や風量の低減なしに排気口１０８から回転ドラム２の中心に向け送風することができる。従って、この場合もさらなる送風性の、乾燥性能の向上に貢献することができる。特に、この例では、後部の半殻体３３ａ２２は前部の半殻体３３ａ２１よりも深い立体形状をなしているが、形状が単純化している。このため、型成形される内面は図３、図４に仮想線で区画して示すように第１から第３の形成域１１２ａ〜１１２ｃに分け、それぞれに対応する分割金型１１３ａ〜１１３ｃを用いると、分割金型１１３ａは矢印ａ方向、分割金型１１３ｂは矢印ｂ方向、分割金型１１３ｃは矢印ｃ方向にそれぞれ型組み、型抜きができる。これにより、簡単な型組み、型抜き構造で金型にて成形性よく形成することができる。しかし、それには、分割金型１１３ａ、１１３ｃに挟まれる分割金型１１３ｂの出し入れ方向ｂでの型抜きには、隣接の分割金型１１３ｃの側への移動を含むので、分割金型１１３ｂは隣接の分割金型１１３ｃの先行した型抜きの後に型抜きすることが条件になる。また逆に、分割金型１１３ｂは隣接の分割金型１１３ｃの型組みの前に型組みし、その後に分割金型１１３ｂを型組みすることが条件になる。
【００３４】
これに併せ、本実施の形態では、図５に示すように水槽３の後部のモータ７の上部まわりに送風口１０８を介し下流端部が接続される送風ガイド３３ａの上流側に上向きに形成した接続口３３ａ９にて下向きの送風路３３に接続するようにしてある。換言すると、送風ガイド３３ａは、モータ７の側部にまで上方から立ち下がる送風路３３に上向きの導入部３３ａ１が繋がって送風空気を順方向に導入した後、導入部３３ａ１からの送風空気を下流のガイド部３３ａ２がモータ７まわりでほぼ直角に曲げて下流端前部壁の排気口３３ａ６まで案内し、送風口１０８を介し水槽３内へ回転ドラム２の中央に向け送風するようにしてある。これにより、排気口３３ａ６を通じガイド部３３ａ２に泡が侵入することがあっても、その送風ガイド部３３ａの上向きの導入部３３ａ１に繋がる送風路３３は上流側に向け立ち上がる形態であることにより、泡は送風ガイド３３ａに充満するまで送風路３３側に逆流するのを遅らせられ、その前に送風ガイド３３ａ内で泡を確実に検出することができ、さらに上流遠くの加熱用熱交換器３２や送風ファン１５には泡はなお更到達しにくくなる。
【産業上の利用可能性】
【００３５】
本発明によれば、ドラム式洗濯乾燥機での乾燥工程に用いる送風循環経路の送風路が水槽後部に接続される送風ガイドの形状の改良だけで、泡センサを１つに減らしながら、そこに侵入してくることのある泡の検出性能をより高められる。
【図面の簡単な説明】
【００３６】
【図１】本発明の実施の形態に係るドラム式洗濯乾燥機における送風循環経路の泡センサを設けた送風ガイドを示す斜視図である。
【図２】同送風ガイドの下面図である。
【図３】同送風ガイドの後部の半殻体を前部の半殻体との分割面に直角な面で断面して見た断面図である。
【図４】同送風ガイドの後部の半殻体の前部の半殻体との分割面に平行な面で断面して見た断面図である。
【図５】図１〜図４に示す送風ガイドを持った送風循環経路を採用した本発明の実施の形態に係るドラム式洗濯乾燥機の内部構造を背部の側から見て示す斜視図である。
【図６】送風循環経路に泡センサを設けた従来のドラム式洗濯乾燥機の内部構造を示す背面図である。
【符号の説明】
【００３７】
１  ドラム式洗濯乾燥機
２  回転ドラム
３  水槽
５  送風循環経路
７  モータ
１５  送風ファン
１５ａ  ファンモータ
１６  吸引路
３１  除湿用熱交換器
３２  加熱用熱交換器
３３  送風路
３３ａ  送風ガイド
３３ａ１  導入部
３３ａ２  ガイド部
３３ａ６  排気口
３３ａ１０  アンダーカット部
３３ａ１１  狭隘部
３３ａ２１  前部の半殻体
３３ａ２２  後部の半殻体
１０８  送風口
１１１  泡センサ
２０１  ねじ止め部
【図１】
2010094170.tif 000003
【図２】
2010094170.tif 000004
【図３】
2010094170.tif 000005
【図４】
2010094170.tif 000006
【図５】
2010094170.tif 000007
【図６】
2010094170.tif 000008